(57)【要約】      （修正有）【課題】ブラジャーのための滑り落ちないショルダーストラップを提供する。【解決手段】剛質の繊維から形成されたブラジャーストラップ１０が提供されている。このストラップ１０は、シリコーンジェルの２つ以上の列３０が設けられた第１の面１５を有している。好ましくは、これら列３０は、まっすぐな軸線内に設けられている。前記第１の面１５は、これに印し２０を有していることが好ましい。着用者の肩を抑制するために位置されたこの第１の面１５は、ブラジャーストラップ１０が着用者の肩から滑り落ちるのを防止する。【選択図】図１
2010031449.tif 000002
【特許請求の範囲】
【請求項１】
剛質の繊維で形成され、第１の面を有する本体と、
各々が前記第１の面上のラインであり、シリコーンで形成された２つ以上の列とを具備するブラジャーのためのショルダーストラップであって、前記第１の面は、このショルダーストラップの滑り落ちを防止するために、着用者の肩上に位置されるように適用されているショルダーストラップ。
【請求項２】
前記剛質の繊維は、ナイロン、ポリエステル、及びこれらの組み合わせのグループから選択されている材料である請求項１のショルダーストラップ。
【請求項３】
前記剛質の繊維は、約５/８インチ（１．６ｃｍ）の幅を有する請求項１のショルダーストラップ。
【請求項４】
前記２つ以上の列は、２つの列である請求項３のショルダーストラップ。
【請求項５】
前記本体の第１の面は、これの上に、印しを有する請求項４のショルダーストラップ。
【請求項６】
前記印しは、文字、デザイン、及びこれらの組み合わせのグループから選択されている請求項５のショルダーストラップ。
【請求項７】
前記剛質の繊維は、約３/４インチ（１．９ｃｍ）の幅を有する請求項１のショルダーストラップ。
【請求項８】
前記２つ以上の列は、３つの列である請求項７のショルダーストラップ。
【請求項９】
前記本体の第１の面は、これの上に印しを有する請求項８のショルダーストラップ。
【請求項１０】
前記印しは、文字、デザイン、及びこれらの組み合わせのグループから選択されている請求項９のショルダーストラップ。
【請求項１１】
前記ラインは、直線である請求項１のショルダーストラップ。
【請求項１２】
前記ラインは、ウェーブ又はギザギザのラインである請求項１のショルダーストラップ。
【請求項１３】
前記剛質の繊維は、前記２つ以上の列の適用より先に、予め収縮されている請求項１のショルダーストラップ。
【請求項１４】
ナイロン、ポリエステル、及びこれらの組み合わせのグループから選択された材料である剛質の繊維から形成され、第１の面を有する本体と、
各々が前記第１の面上のラインであり、シリコーンで形成された２つ以上の列とを具備するブラジャーのためのショルダーストラップであって、前記第１の面は、このショルダーストラップのずれ落ちを防止するために、着用者の肩上に位置されるように適用されているショルダーストラップ。
【請求項１５】
前記本体の第１の面は、これに印しを有する請求項１４のショルダーストラップ。
【請求項１６】
前記剛質の繊維は、約５/８インチ（１．６ｃｍ）の幅を有する請求項１５のショルダーストラップ。
【請求項１７】
前記２つ以上の列は、２つの列である請求項１６のショルダーストラップ。
【請求項１８】
前記剛質の繊維は、約３/４インチ（１．９ｃｍ）の幅を有する請求項１５のショルダーストラップ。
【請求項１９】
前記２つ以上の列は、３つの列である請求項１８のショルダーストラップ。
【請求項２０】
ブラジャーストラップを形成する方法であって、
第１の面を有するブラジャーストラップを形成することと、
このブラジャーストラップを予め収縮させることと、
このブラジャーストラップの前記第１の面上にシリコーンからなる２つ以上の列を与えることとを具備する方法。
【請求項２１】
ブラジャーストラップを形成した後で、ブラジャーストラップを予め収縮させる前に、ブラジャーストラップの第１の面上に印しを与えることをさらに有する請求項２０の方法。
【発明の詳細な説明】
【技術分野】
【０００１】
本発明は、一般的に滑り落ちないストラップに関する。特に、本発明は、着用者の肩から滑り落ちたり、ずれ落ちたりするのを防止し、又は減じる一方、例えば、ショルダーストラップメーカーの名前のような確認できるものを有するショルダーストラップに関する。
【背景技術】
【０００２】
ショルダーストラップ、特に、ブラジャーのショルダーストラップに関連した周知の課題は、着用者の肩から滑り落ちたり、ずれ落ちたりする傾向にあることである。この課題は、ブラジャーショルダーストラップを形成するためにしばしばし使用される滑らかな繻子のような材料によって引き起こされる。この課題を解決するために試みがなされている。このような試みには、着用者の肩の表面領域に渡ってブラジャーショルダーストラップのウエイトを比較的均等に分配するために、ブラジャーショルダーストラップの幅を大きくすることを含む。他の試みでは、ブラジャーショルダーストラップに取着されている滑らない材料から形成された発明品を含む。しかし、これら発明品は、不快をもたらすように着用者の肩に食い込むかもしれず、またブラジャーショルダーストラップに損傷を与えるかもしれない。また、これら発明品は、ショルダーストラップの曲がりをもたらすかもしれない。
【０００３】
従って、所望のすべらない特性を有し、着用者にとって快適で、ショルダーストラップを傷つけず、そしてショルダーストラップの好ましくない曲がりを減じるようなブラジャーショルダーストラップが必要である。また、本人がショルダーストラップに明瞭な存在を残すための確認するものが与えられているようなブラジャーショルダーストラップが必要である。
【発明の概要】
【発明が解決しようとする課題】
【０００４】
本発明の目的は、着用者の肩から滑り落ちない、又は滑り落ちるの減じる、特にブラジャーのためのショルダーストラップを提供することである。
【０００５】
本発明の他の目的は、剛質の材料から形成され、滑らない面を有するようなショルダーストラップを提供することである。
【０００６】
さらに、本発明の他の目的は、滑らない面にプリントされた文字又はデザインを有するようなショルダーストラップを提供することである。
【０００７】
本発明のさらなる目的は、以下の特質、つまり、着用者のショルダー領域の不快及びいらいらを軽減し、かさばらない美的な体裁と、長い着用期間とを有する特質のうちの１つを、好ましくはすべてを有するようなブラジャーショルダーストラップを提供することである。
【０００８】
なお、本発明のさらなる目的は、ショルダーストラップの曲がりを防止するために、滑らない面の適用の前に予め収縮されたようなブラジャーショルダーストラップを提供することである。
【課題を解決するための手段】
【０００９】
本発明のこれら及び他の目的と効果とは、シリコーンジェルの複数の列が、剛質の繊維の片側に、好ましくはまっすぐな縦線に適用されている単一の剛質の繊維を有したブラジャーショルダーストラップによって達せられる。このシリコーンジェルは、好ましくは、細いビード、即ちラインの形状で、繊維上に押し出されている。シリコーンジェルのラインは、ストラップの片側に適用されて、このストラップは、着用者の肩に密着され、ブラジャーショルダーストラップが着用者の肩から滑り落ちたり、ずれ落ちたりするのを防止する。
【００１０】
好ましい実施の形態では、文字又はデザインが、連続線を形成するシリコーンのビードの列を有する繊維の片側にプリントされている。この文字又はデザインの明瞭さは、シリコーンによって影響されることはない。
【００１１】
本発明の好ましいブラジャーショルダーストラップでは、ショルダーストラップの軸方向に対して垂直であるショルダーストラップの幅は、約５/８インチ（１．６ｃｍ）から約３/４インチ（１．９ｃｍ）である。好ましくは、シリコーンの２つの列は、約５/８インチ（１．６ｃｍ）幅のストラップの実施の形態で使用されており、一方、シリコーンの３つの列は、約３/４インチ（１．９ｃｍ）幅のストラップに使用されている。
【００１２】
本発明の好ましい実施の形態では、前記文字又はデザインがショルダーストラップの面に与えられた後に、これと同じショルダーストラップの面に、シリコーンの列が適用されている。文字又はデザインが設けられた、及び設けられていない実施の形態を有する、本発明の異なる好ましい実施の形態では、ショルダーストラップは、シリコーンの列の適用より先に、予め収縮されている。
【図面の簡単な説明】
【００１３】
【図１】本発明のショルダーストラップの片側を示す平面図である。
【図２】本発明のショルダーストラップの異なる実施形態の片側を示す平面図である。
【発明を実施するための形態】
【００１４】
図面を、特に、図１を参照すると、参照符号１０によって全体的に示されたブラジャーストラップが示されている。好ましくは、このブラジャーストラップ１０は、ブラジャーショルダーストラップである。ブラジャーストラップ１０は、第1の面１５と、これの反対側の第２の面（示されていない）とを有している。第１の面１５は、着用者と接するように位置される面であり、一方、第２の面は、着用者から離れて面し、他人の目に見えるであろう。従って、この第２の面は、いずれの材料から形成可能である。
【００１５】
ブラジャーストラップ１０は、剛質の繊維で構成され又は形成されている。このような剛質の繊維は、ナイロン、ポリエステル、又はナイロンとポリエステルとの組み合わせを有するが、これらに制限されることはない。好ましくは、この剛質の繊維は、１００％のナイロンである。
【００１６】
好ましくは、ブラジャーストラップ１０は、比較的均一な幅を有している。本発明に使用されているように、幅は、ブラジャーストラップの軸方向への延びに対して垂直なディメンションを意味している。しかし、ブラジャーストラップ１０は、これが２種以上の幅を有するように形成されることができる。例えば、ブラジャーストラップ１０の真中の部分は、ブラジャーストラップの両端部に向かう部分よりも多少大きい幅を有することができる。
【００１７】
好ましい実施の形態には、ブラジャーストラップ１０は、約５/８インチ（１．６ｃｍ）から約３/４インチ（１．９ｃｍ）までの幅の範囲を有する。しかし、ブラジャーストラップ１０の幅は、ブラジャーのスタイルに依存してこの範囲より狭く又は広くすることができる。好ましくは、ブラジャーストラップ１０は、２つの異なる幅のサイズ、即ち、約５/８インチ（１．６ｃｍ）と約３/４（１．９ｃｍ）とを有する。
【００１８】
図１の好ましい実施の形態に示されたように、ブラジャーストラップ１０は、これにプリントされた印し２０を有している。好ましい一実施の形態では、印し２０は、例えば、ブラジャーメーカーの名前のような文字である。異なる実施の形態では、印し２０は、代わりに、デザイン又はロゴ、若しくは、文字とデザイン又はロゴとの組み合わせであってもよい。印し２０は、例えば、水で落ちないインクのような一般的なプリント材料を使用した一般的なプリント方法によってブラジャーストラップ１０の第１の面１５にプリントされている。
【００１９】
印し２０を有する図１と、印しの無い図２との実施の形態に示されたように、ブラジャーストラップ１０の第１の面１５は、これにシリコーンの少なくとも２つの列３０を有している。このシリコーンは、好ましくは、シリコーンジェル（ｓｉｌｉｃｏｎｅ ｇｅｌ）である。このシリコーンジェルは、好ましくは、細いビード（ｂｅａｄ）になるようにブラジャーストラップ１０に押し出されている。より好ましい実施の形態では、複数の細いビードが、図１及び図２に示されたように、連続線、即ち列３０を形成している。しかし、これら細いビードは、互いに隣接するビードが、これらの間にわずかなスペースを有する列３０を形成することができる。好ましくは、列３０は、一の軸方向、即ち長手方向のラインである。異なる実施の形態では、列３０は、ウェーブ又はギザギザのラインパターンに、しかし、軸又は長手方向に適用されている。
【００２０】
隣接する複数の列３０の間の距離は、約１/１６インチ（０．１６ｃｍ）ないし約１/８インチ（０．３２ｃｍ）である。好ましくは、隣接する列３０の間の距離は、約３/３２インチ（０．２４ｃｍ）である。各ビードのサイズは、約０．００２ｍｍないし０．００４ｍｍである。好ましくは、各ビードのサイズは、直径が約０．００３ｍｍである。
【００２１】
好ましい一実施の形態では、ブラジャーストラップ１０は、約５/８インチ（１．６ｃｍ）の幅を有する。この実施の形態では、ブラジャーストラップ１０は、２つの列３０を有している。ブラジャーストラップ１０が、約３/４インチ（１．９ｃｍ）の幅を有する異なる実施の形態では、ブラジャーストラップ１０は、３つの列３０を有している。列３０の数は、ブラジャーストラップ１０の幅に依存して変更できる。そして、万一、ブラジャーストラップ１０が、約３/４インチ（１．９ｃｍ）より広ければ、４つ以上の列３０を形成可能である。しかし、すべての実施の形態では、少なくとも２つの列３０が必要であると信じられている。
【００２２】
ブラジャーストラップ１０の第１の面１５は、着用者の肩と接する面である。シリコーンは、着用者の肩をわずかにグリップするように形成されている。このグリップ、即ち密着は、ブラジャーストラップ１０が、着用者の肩からずれ落ちるのを防止するのに十分強く、しかし、着用者の肩の肌をいらいらさせることはない。
【００２３】
異なる実施の形態では、列３０を有する剛質の繊維が、ブラジャーのサイド並びに/もしくはバックパネル内に形成可能である。
【００２４】
ブラジャーストラップ１０のよじれ、即ち曲がりが、過度の洗濯及び着用によって生じるかもしれない。これは、ブラジャーストラップ１０を形成するために使用された剛質の繊維が、ブラジャーストラップに与えられたシリコーンと異なる割合で収縮するためである。本発明の一態様が、この曲がりを防止するための方法である。このために、ブラジャーストラップ１０を形成するために使用された剛質の繊維は、第１の面の列３０、従って、シリコーンの適用より先に、予め収縮される。印し２０は、剛質の繊維が予め収縮された後に与えられる。ブラジャーストラップ１０が、予め収縮されてから、シリコーンの列３０の収縮は、ブラジャーストラップ１０を曲げさせないであろう。従って、本発明は、ストラップにシリコーンのずれ落ちないジェルを使用するにもかかわらず、伸ばされた、即ち曲がっていないブラジャーストラップ１０を提供する。
【００２５】
ブラジャーストラップ１０は、これに列３０とあるいは印し２０とを備えた第１の面１５を有している。同時に、この第１の面１５の反対側の第２の面は、これにいずれの材料を有することができる。このような材料は、繻子の感触、即ち装飾的なレースを有することができる。
【００２６】
本発明は、これの好ましい態様に特に関して説明されているが、様々な変更及び変形が、添付された請求項に規定されたような本発明の趣旨及び範囲から外れることなく本発明内で形成可能であることは明らかであろう。
【符号の説明】
【００２７】
１０…ブラジャーストラップ、１５…第１の面、２０…印し、３０…列。
【図１】
2010031449.tif 000003
【図２】
2010031449.tif 000004
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
剛質の繊維で形成され、第１の面を有する本体と、
各々が前記第１の面上のラインであり、前記本体の長手方向に延び前記本体の長さと略同一の長さのシリコーンで形成された２つ以上の列とを具備するブラジャーのためのショルダーストラップであって、前記第１の面は、このショルダーストラップの滑り落ちを防止するために、着用者の肩上に位置されるように適用されているショルダーストラップ。
【請求項２】
前記剛質の繊維は、ナイロン、ポリエステル、及びこれらの組み合わせのグループから選択されている材料である請求項１のショルダーストラップ。
【請求項３】
前記本体は、５/８インチ（１．６ｃｍ）の幅を有する請求項１のショルダーストラップ。
【請求項４】
前記２つ以上の列は、２つの列である請求項３のショルダーストラップ。
【請求項５】
前記本体の第１の面は、これの上に、印しを有する請求項４のショルダーストラップ。
【請求項６】
前記印しは、文字、デザイン、及びこれらの組み合わせのグループから選択されている請求項５のショルダーストラップ。
【請求項７】
前記本体は、３/４インチ（１．９ｃｍ）の幅を有する請求項１のショルダーストラップ。
【請求項８】
前記２つ以上の列は、３つの列である請求項７のショルダーストラップ。
【請求項９】
前記本体の第１の面は、これの上に印しを有する請求項８のショルダーストラップ。
【請求項１０】
前記印しは、文字、デザイン、及びこれらの組み合わせのグループから選択されている請求項９のショルダーストラップ。
【請求項１１】
前記ラインは、直線である請求項１のショルダーストラップ。
【請求項１２】
前記ラインは、ウェーブ又はギザギザのラインである請求項１のショルダーストラップ。
【請求項１３】
前記本体は、前記２つ以上の列の適用より先に、予め収縮されている請求項１のショルダーストラップ。
【請求項１４】
ナイロン、ポリエステル、及びこれらの組み合わせのグループから選択された材料である剛質の繊維から形成され、第１の面を有する本体と、
各々が前記第１の面上のラインであり、前記本体の長手方向に延び前記本体の長さと略同一の長さのシリコーンで形成された２つ以上の列とを具備するブラジャーのためのショルダーストラップであって、前記第１の面は、このショルダーストラップのずれ落ちを防止するために、着用者の肩上に位置されるように適用されているショルダーストラップ。
【請求項１５】
前記本体の第１の面は、これに印しを有する請求項１４のショルダーストラップ。
【請求項１６】
前記本体は、５/８インチ（１．６ｃｍ）の幅を有する請求項１５のショルダーストラップ。
【請求項１７】
前記２つ以上の列は、２つの列である請求項１６のショルダーストラップ。
【請求項１８】
前記本体は、３/４インチ（１．９ｃｍ）の幅を有する請求項１５のショルダーストラップ。
【請求項１９】
前記２つ以上の列は、３つの列である請求項１８のショルダーストラップ。
【請求項２０】
ブラジャーストラップを形成する方法であって、
第１の面を有するブラジャーストラップを形成することと、
このブラジャーストラップを予め収縮させることと、
このブラジャーストラップの前記第１の面上に、前記ブラジャーストラップの長手方向に延び前記ブラジャーストラップの長さと略同一の長さのシリコーンからなる２つ以上の列を与えることとを具備する方法。
【請求項２１】
ブラジャーストラップを形成した後で、ブラジャーストラップを予め収縮させる前に、ブラジャーストラップの第１の面上に印しを与えることをさらに有する請求項２０の方法。
【外国語明細書】
2010031449000001.pdf